(57)【要約】  同軸ケーブルおよび複数の信号ケーブルで構成されたケーブルアセンブリと、カメラモジュールと、それらを含む車両用カメラデバイスとが開示される。車両用カメラデバイスは、プリント回路基板を含むカメラモジュールと、同軸ケーブルおよび複数の信号ケーブルを含み、カメラモジュールと車両とを接続するケーブルアセンブリと、複数の信号ケーブルとプリント回路基板とを弾性的に接続するために、導電性材料から形成され、カメラモジュールおよびケーブルアセンブリの一方に設けられた複数のばね端子とを備える。【選択図】  図１
2017520132.tif 000002
【特許請求の範囲】
【請求項１】
車両用カメラデバイスであって、
プリント回路基板（ＰＣＢ）を含むカメラモジュールと、
前記カメラモジュールを前記車両に接続するように構成され、同軸ケーブルおよび複数の信号ケーブルを含むケーブルアセンブリと、
前記信号ケーブルと前記ＰＣＢとを弾性的に接続するために前記カメラモジュールの１つの側または前記ケーブルアセンブリの１つの側に設けられ、導電性材料から形成される複数のばね端子と、
を備える、カメラデバイス。
【請求項２】
前記ばね端子が、その１つの端部における接点部と、その別の端部における接続端部とを含み、
前記接点部が、前記信号ケーブルの１つの側または前記ＰＣＢの１つの側に接触し、
前記接続端部が、前記信号ケーブルの別の側または前記ＰＣＢの別の側に接続される、
請求項１に記載のカメラデバイス。
【請求項３】
前記接点部が、弾性を有するように形成される、
請求項２に記載のカメラデバイス。
【請求項４】
前記ばね端子が、弾性を与えるばねをさらに含む、
請求項２に記載のカメラデバイス。
【請求項５】
前記接続端部が、前記信号ケーブルの周囲に接して変形され押し縮められるクリップまたはフランジの形態で設けられる、
請求項２に記載のカメラデバイス。
【請求項６】
前記ばね端子が、前記ＰＣＢに設けられ、
前記接続端部が、前記ＰＣＢに接続されるように形成される、
請求項２に記載のカメラデバイス。
【請求項７】
前記ばね端子が、ポゴピンである、
請求項１に記載のカメラデバイス。
【請求項８】
車両用カメラデバイスのカメラモジュールに接続されるケーブルアセンブリであって、
複数の信号ケーブルと、前記信号ケーブルと同じ方向に整列された同軸ケーブルを含むケーブル部と、
前記ケーブル部の端部に設けられ、前記ケーブル部を外部電源に接続するように構成されたコネクタハウジングと
を備える、ケーブルアセンブリ。
【請求項９】
前記コネクタハウジングが、前記同軸ケーブルの端部に設けられた第１の超小型同軸（ＭＭＣＸ）コネクタが接続される第１のケーブル継手と、前記信号ケーブルの端部が接続される第２のケーブル継手とを含む、
請求項８に記載のケーブルアセンブリ。
【請求項１０】
前記コネクタハウジングの前記第１のケーブル継手および前記第２のケーブル継手は、前記信号ケーブルおよび前記同軸ケーブルの整列方向から延びる方向に沿って形成される、
請求項９に記載のケーブルアセンブリ。
【請求項１１】
前記信号ケーブルの各々に対応し、前記信号ケーブルを前記カメラモジュールのプリント回路基板（ＰＣＢ）に弾性的に接続するように構成されたばね端子
をさらに含み、
前記ばね端子が、前記第２のケーブル継手に装着される、
請求項９に記載のケーブルアセンブリ。
【請求項１２】
前記ばね端子が、その１つの端部における接点部と、その別の端部における接続端部とを含み、
前記接点部の少なくとも一部分が、弾性を有するように前記コネクタハウジングから突出し、前記接続端部が、前記信号ケーブルの周囲に接続される、
請求項１１に記載のケーブルアセンブリ。
【請求項１３】
前記ばね端子が、弾性を与えるばねをさらに含む、
請求項１１に記載のケーブルアセンブリ。
【請求項１４】
前記ばね端子が、ポゴピンである、
請求項１１に記載のケーブルアセンブリ。
【請求項１５】
前記ケーブル部と前記コネクタハウジングとを接続するために前記ケーブル部の少なくとも一部分を覆うように形成されたオーバーモールド部をさらに含む、
請求項８に記載のケーブルアセンブリ。
【請求項１６】
同軸ケーブルおよび複数の信号ケーブルを含むケーブルアセンブリを含む車両用カメラデバイスのカメラモジュールであって、
前記カメラモジュールは、
プリント回路基板（ＰＣＢ）と、
前記ＰＣＢに設けられ、前記同軸ケーブルの第１のＭＭＣＸコネクタに接続される第２の超小型同軸の（ＭＭＣＸ）コネクタと、
前記信号ケーブルと前記ＰＣＢとを弾性的に接続するように構成され、導電性材料から形成される複数のばね端子と、
前記ばね端子を収容するために設けられたホルダと、
を備える、カメラモジュール。
【請求項１７】
前記ＰＣＢが、接続パッドを含み、
前記ばね端子が、その１つの端部における接点部と、その別の端部における接続端部とを含み、
少なくとも一部分が前記ホルダから突出する前記接点部が、前記ケーブルアセンブリと接触し、前記接続端部が、前記接続パッドに接続される、
請求項１６に記載のカメラモジュール。
【請求項１８】
前記ばね端子が、弾性を与えるばねをさらに含む、
請求項１６に記載のカメラモジュール。
【請求項１９】
前記ばね端子が、ポゴピンである、
請求項１６に記載のカメラモジュール。
【請求項２０】
前記ホルダが、前記ホルダを前記ＰＣＢに接続するために固定部材を含み、
前記固定部材が、前記ＰＣＢにはんだ付けされる、
請求項１６に記載のカメラモジュール。
【発明の詳細な説明】
【技術分野】
【０００１】
１つまたは複数の例示の実施形態は、車両で使用されるカメラデバイスに関し、より詳細には、同軸ケーブルを含むケーブルアセンブリ、カメラモジュール、ならびにケーブルアセンブリおよびカメラモジュールを含む車両用カメラデバイスに関する。
【背景技術】
【０００２】
リアビューカメラは、車両を後退させるときに運転席に座っているドライバが表示スクリーンにより車両の後方光景を確認することができるように設けられる。一般に、リアビューカメラは、車両の後側のエンブレムの内部に設置される。
【発明の概要】
【発明が解決しようとする課題】
【０００３】
リアビューカメラには、例えば車両に接続され、動作電力を受け取るように構成されたケーブルと、車両に設けられたモニタデバイスに接続されるケーブルとを含む複数のケーブルが含まれ得る。一般に、リアビューカメラを動作させるための電力を受け取るのに、電圧降下なしに車両のテールランプから直流（ＤＣ）１２ボルト（Ｖ）を直接に受け取る方法、および電圧レギュレータにより電圧をＤＣ５Ｖに落とす方法を使用することができる。しかしながら、車両の電力のＤＣ１２Ｖが、動作電力としてリアビューカメラに直接に印加されると、カメラデバイスに含まれている回路において電圧をほぼＤＣ５Ｖまで降下させるときに大量の熱が発生する可能性がある。加えて、カメラで捕捉される画像の品質が、そのような熱発生に起因して劣化することがあり、映像ノイズが振動に起因して生じることがある。
【課題を解決するための手段】
【０００４】
本発明の一態様は、同軸ケーブルおよび信号ケーブルを含むケーブルアセンブリと、干渉および映像ノイズの発生を防止するためのカメラモジュールと、ケーブルアセンブリおよびカメラモジュールを含む車両用カメラデバイスとを提供する。
【０００５】
対処されるべき問題または課題は前述のものに限定されないことがあり、したがって、他の問題または課題に対処する方法は、以下の説明に基づいて当業者によって明確に理解され得る。
【０００６】
本発明の一態様によれば、車両用カメラデバイスが提供され、カメラデバイスは、プリント回路基板（ＰＣＢ）を含むカメラモジュールと、カメラモジュールを車両に接続するように構成され、同軸ケーブルおよび複数の信号ケーブルを含むケーブルアセンブリと、信号ケーブルとＰＣＢとを弾性的に接続するためにカメラモジュールの１つの側またはケーブルアセンブリの１つの側に設けられ、導電性材料から形成される複数のばね端子とを含む。
【０００７】
ばね端子は、その１つの端部における接点部と、その別の端部における接続端部とを含む。接点部は、信号ケーブルの１つの側またはＰＣＢの１つの側と接触するようにすることができ、接続端部は、信号ケーブルの別の側またはＰＣＢの別の側に接続されるようにすることができる。ばね端子は、弾性を与えるばねをさらに含むことができる。例えば、ばねは、ばね端子の長手方向に沿って複数回分割されたかまたは曲げられた１つのプレートまたは１つのワイヤで形成することができる。代替として、接点部は、接点部が弾性を有するように曲げることができる。ばね端子はケーブルアセンブリに設けることができ、接続端部は、信号ケーブルの周囲に接続されるように形成することができる。
例えば、接続端部は、信号ケーブルの周囲に接して変形され押し縮められるクリップまたはフランジの形態で設けることができる。代替として、ばね端子は、ＰＣＢに備えられ、接続端部は、ＰＣＢに接続されるように形成することができる。そのような場合、カメラデバイスは、ばね端子を収容するために設けられるホルダをさらに含むことができる。ホルダは、ケーブルアセンブリの信号ケーブルに接続されるようにＰＣＢに設けることができる。
【０００８】
ここで、ポゴピンをばね端子として使用することができる。
【０００９】
本発明の別の態様によれば、車両用カメラデバイスのカメラモジュールに接続されるケーブルアセンブリが提供され、ケーブルアセンブリは、電力を供給し画像信号を送信するための複数の信号ケーブル、および信号ケーブルと同じ方向に整列された同軸ケーブルを含むケーブル部と、ケーブル部の端部に設けられ、ケーブル部を外部電源に接続するように構成されたコネクタハウジングとを含む。
【００１０】
コネクタハウジングは、同軸ケーブルの端部に設けられた第１の超小型同軸（ＭＭＣＸ）コネクタを接続することができる第１のケーブル継手と、信号ケーブルの端部を接続することができる第２のケーブル継手とを含むことができる。コネクタハウジングの第１のケーブル継手および第２のケーブル継手は、信号ケーブルおよび同軸ケーブルの整列方向から延びる方向に沿って形成することができる。代替として、コネクタハウジングの第１のケーブル継手および第２のケーブル継手は、信号ケーブルと同軸ケーブルとが整列される方向に対して９０度（°）で曲げられてもよい。ケーブルアセンブリは、信号ケーブルの各々に対応し、信号ケーブルをカメラモジュールのＰＣＢに弾性的に接続するように構成されたばね端子をさらに含むことができる。ばね端子は、第２のケーブル継手に装着されるようにすることができる。
【００１１】
ばね端子は、その１つの端部における接点部と、その別の端部における接続端部とを含むことができる。接点部の少なくとも一部分は、コネクタハウジングから突出することができ、接続端部は、信号ケーブルの周囲に接続されるようにすることができる。ここで、ばね端子は、弾性を与えるばねをさらに含むことができる。例えば、ばねは、ばね端子の長手方向に沿って複数回分割されたかまたは曲げられた１つのプレートまたは１つのワイヤで形成することができる。例えば、接点部の端部は、接点部が弾性を有するように曲げることができる。例えば、接続端部は、信号ケーブルの周囲に接して変形され押し縮められるようにクリップまたはフランジの形態で設けることができる。
【００１２】
ここで、ポゴピンを、ばね端子として使用することができる。
【００１３】
ケーブルアセンブリは、ケーブル部とコネクタハウジングとを接続するためにケーブル部の少なくとも一部分を覆うように形成されたオーバーモールド部をさらに含むことができる。例えば、ケーブルアセンブリは、ケーブル部を収容するために設けられたシースをさらに含むことができ、オーバーモールド部は、シースとコネクタハウジングとを接続するためにシースの一部分に形成することができる。
【００１４】
本発明のさらなる別の態様によれば、同軸ケーブルおよび複数の信号ケーブルを含むケーブルアセンブリを含む車両用カメラデバイスのカメラモジュールが提供され、カメラモジュールは、ＰＣＢと、ＰＣＢに設けられ、同軸ケーブルの第１のＭＭＣＸコネクタに接続される第２のＭＭＣＸコネクタと、信号ケーブルに接続される接続パッドと、信号ケーブルと接続パッドとを弾性的に接続するように構成され、導電性材料から形成される複数のばね端子と、ばね端子を収容するために設けられたホルダとを含む。
【００１５】
ばね端子は、その１つの端部における接点部と、その別の端部における接続端部とを含む。少なくとも一部分がばね端子を収容するハウジングから突出する接点部は、ケーブルアセンブリに接続されるようにすることができ、接続端部は、接続パッドに接続されるようにすることができる。加えて、ばね端子は、弾性を与えるばねをさらに含むことができる。例えば、ばねは、ばね端子の長手方向に沿って複数回分割されたかまたは曲げられた１つのプレートまたは１つのワイヤで形成することができる。例えば、接点部は、ばねと共に一体化形態で設けることができ、その端部は、接点部が弾性を有するように曲げることができる。
【００１６】
ホルダは、ばね端子を２ＭＭＣＸコネクタと同じ方向に整列させることができ、接点部の少なくとも一部分を外部に露出させることができるように、ばね端子を収容するように形成することができる。例えば、ホルダは、ホルダをＰＣＢに接続するために固定部材を含むことができ、固定部材は、ＰＣＢにはんだ付けすることができる。
【００１７】
ここで、ポゴピンを、ばね端子として使用することができる。
【００１８】
例示の実施形態の追加の態様は、後続の説明に部分的に記載され、その説明から部分的に明らかになるか、または本開示の実施によって習得することができる。
【００１９】
本開示のこれらおよび／または他の態様、特徴、および利点は、添付図面と併せて行われる例示の実施形態の以下の説明から明らかになり、より容易に正しく理解されるであろう。
【図面の簡単な説明】
【００２０】
【図１】本発明の例示の実施形態による、ケーブルアセンブリとカメラモジュールとを含む車両用カメラデバイスの分解斜視図である。
【図２】図１のケーブルアセンブリの斜視図である。
【図３】図２のケーブルアセンブリの分解斜視図である。
【図４】図３のケーブルアセンブリの主要部分の分解斜視図である。
【図５】図２のケーブルアセンブリのばね端子の斜視図である。
【図６】本発明の例示の実施形態による、ケーブルアセンブリの一変形例の分解斜視図である。
【図７】本発明の別の例示の実施形態による、ケーブルアセンブリとカメラモジュールとを含む車両用カメラデバイスの分解斜視図である。
【図８】図７のケーブルアセンブリを底面から見た斜視図である。
【図９】図７のケーブルアセンブリの分解斜視図である。
【図１０】本発明のさらなる別の例示の実施形態による、ケーブルアセンブリとカメラモジュールとを含む車両用カメラデバイスの分解斜視図である。
【図１１】図１０のケーブルアセンブリの斜視図である。
【図１２】図１１のケーブルアセンブリの分解斜視図である。
【図１３】図１０のカメラモジュールにおけるホルダの分解斜視図である。
【図１４】本発明の例示の一実施形態によるホルダの一変形例の分解斜視図である。
【図１５】本発明のさらなる別の例示の実施形態による、ケーブルアセンブリとカメラモジュールとを含む車両用カメラデバイスの分解斜視図である。
【図１６】図１４のケーブルアセンブリの分解斜視図である。
【発明を実施するための形態】
【００２１】
以下、本発明の例示の実施形態を、添付図面を参照しながら詳細に説明する。図面の要素に付与された参照番号に関して、たとえ同じ要素が異なる図面に示されていても、同じ要素は可能な限り同じ参照番号で指定されることに留意されたい。さらに、実施形態の説明において、よく知られている関連のある構造または機能の詳細な説明は、そのような説明が本開示の曖昧な解釈を引き起こすことになると思われる場合、省略される。
【００２２】
本明細書で使用される専門用語は、特定の実施形態のみを説明するためのものであり、限定するようには意図されていない。第１の、第２の、Ａ、Ｂ、（ａ）、（ｂ）などのような用語は、本明細書において構成要素を説明するために使用されることがある。これらの専門用語の各々は、対応する構成要素の本質、順序、または手順を規定するために使用されるのではなく、対応する構成要素を他の構成要素と単に区別するために使用される。ある構成要素が別の構成要素に「接続される」、「結合される」、または「連結される」と本開示において記載されている場合、第１の構成要素が第２の構成要素に直接接続され、結合され、または連結されてもよいが、第３の構成要素が、第１の構成要素と第２の構成要素との間に「接続され」、「結合され」、または「連結され」てもよいことに留意されたい。
加えて、ある構成要素が別の構成要素に「直接接続される」または「直接連結される」と本開示において記載されている場合、第３の構成要素がそれらの間に存在しなくてもよいことに留意されたい。同様に、例えば、「の間に」および「の間に直接に」ならびに「に隣接して」および「に隣接して直接に」という表現は、前述で説明したように解釈されてもよい。
【００２３】
以下、ケーブルアセンブリ１０とカメラモジュール２０とを含む車両用カメラデバイスを、図１から図６を参照しながら説明する。図１は、本発明の例示の実施形態による、ケーブルアセンブリ１０とカメラモジュール２０とを含むカメラデバイスの分解斜視図である。図２は、図１のケーブルアセンブリ１０の斜視図である。図３は、図２のケーブルアセンブリ１０の分解斜視図である。図４は、図３のケーブルアセンブリ１０の主要部分の分解斜視図である。図５は、図２のケーブルアセンブリ１０のばね端子１７の斜視図である。図６は、本発明の例示の実施形態による、ケーブルアセンブリ１０の一変形例の分解斜視図である。
【００２４】
図１から図５を参照すると、車両用カメラデバイスは、カメラモジュール２０と、カメラモジュール２０を車両に接続するように構成されたケーブルアセンブリ１０とを含む。
【００２５】
カメラモジュール２０は、プリント回路基板（ＰＣＢ）２１と、同軸ケーブル１１１に接続される第２の超小型同軸（ＭＭＣＸ）コネクタ２１１と、ケーブルアセンブリ１０の複数の信号ケーブル１１３に接続される複数の接続パッド２１３とを含む。カメラモジュール２０の詳細な構成はよく知られている構成から理解されるので、カメラモジュール２０の詳細な図および説明は本明細書では省略する。
【００２６】
ケーブルアセンブリ１０は、同軸ケーブル１１１と信号ケーブル１１３とを含み、それらは組み合わせてケーブル部１１と呼ばれる。ケーブル部１１は、ケーブル部１１の端部に設けられた単一のコネクタハウジング１３によってモジュール化されるので、同軸ケーブル１１１と信号ケーブル１１３とは、別々に組み合わされなくてもよく、したがって、同時に、カメラモジュール２０に接続されるか、またはカメラモジュール２０から分離されてもよい。
【００２７】
詳細には、ケーブルアセンブリ１０は、ケーブル部１１とコネクタハウジング１３とを含む。
【００２８】
ケーブル部１１は、画像信号を伝送するための同軸ケーブル１１１と、電力を供給し、信号を伝送するための信号ケーブル１１３とを含む。同軸ケーブル１１１は、信号ケーブル１１３の方向と同じ方向に整列され、１つのケーブルを形成するためにシース１１５に収容される。しかしながら、本開示は、本明細書で説明する例証となる例に限定されず、したがって、シース１１５は省略されることがある。
【００２９】
図２の参照番号１８および１９は、同軸ケーブル１１１および信号ケーブル１１３に接続される車載デバイスを示す。
【００３０】
オーバーモールド部１５は、ケーブル部１１とコネクタハウジング１３とを接続するように形成される。例えば、オーバーモールド部１５は、シース１１５とコネクタハウジング１３とを接続するためにシース１１５の一部分に形成することができる。オーバーモールド部１５は、シース１１５および／またはコネクタハウジング１３の材料と同じ材料から形成される。しかしながら、本開示は、本明細書で説明する例証となる例に限定されず、したがって、オーバーモールド部１５は、シース１１５がないときにはケーブル部１１とコネクタハウジング１３とを接続することができる。加えて、オーバーモールド部１５の形状およびサイズは、本明細書で説明する例証となる例に限定されず、したがって、形状およびサイズに様々な変更を行うことができる。
【００３１】
コネクタハウジング１３は、ケーブル部１１の端部に設けられ、本体１３０と、継手１３５と、留め具１３６とを含む。ケーブル部１１をＰＣＢ２１に接続するために、コネクタハウジング１３は、第１の超小型同軸（ＭＭＣＸ）コネクタ１１２を接続することができる第１のケーブル継手１３１と、信号ケーブル１１３の端部を接続することができる第２のケーブル継手１３３とをさらに含む。
【００３２】
ここで、同軸ケーブル１１１は、第１のＭＭＣＸコネクタ１１２に接続される。すなわち、ＭＭＣＸコネクタ、例えば、第１のＭＭＣＸコネクタ１１２および第２のＭＭＣＸコネクタ２１１は、それぞれ、接続される同軸ケーブル１１１およびＰＣＢ２１の端部に設けられる。例えば、第１のケーブル継手１３１は、孔として形成することができ、その孔に第１のＭＭＣＸコネクタ１１２が挿入されて、その孔を通り抜けることができる。信号ケーブル１１３は、ばね端子１７によりカメラモジュール２０に接続され、第２のケーブル継手１３３は、孔として形成され、その孔にばね端子１７は挿入されて、その孔を通り抜ける。加えて、第２のケーブル継手１３３は、ばね端子１７を収容するために事前に設定した長さだけ突出する。しかしながら、本開示は、本明細書で説明する例証となる例に限定されず、したがって、コネクタハウジング１３の形状に様々な変更を行うことができる。
【００３３】
ばね端子１７は、信号ケーブル１１３とＰＣＢ２１とを電気的に接続し、信号ケーブル１１３とＰＣＢ２１との間の安定した接続を維持するために弾性を与える。ばね端子１７は、導電性材料から形成される。加えて、ばね端子１７は、組立てを容易にし、生産性の改善を可能にするために、一体化形態で用意される。
【００３４】
詳細には、ばね端子１７は、その１つの端部に、ＰＣＢ２１に電気的に接続される接点部１７１を含む。例えば、接点部１７１は、ばね１７３を形成するワイヤまたはプレートの端部を所定の曲率で曲げることによって形成された曲面を含むことができる。接点部１７１の曲面のために、ＰＣＢ２１の接続パッド２１３に接触する区域のサイズは増加することができ、それにより、信号ケーブル１１３とＰＣＢ２１とを安定して接続することができる。加えて、接点部１７１の端部が曲げられているので、接点部１７１は、ばね端子１７が接続パッド２１３に接続されるとき、弾性を与える。
【００３５】
ばね端子１７は、その別の端部に、信号ケーブル１１３に接続される接続端部１７５を含む。例えば、接続端部１７５は、クリップまたはフランジの形態で設けることができ、接続端部１７５が信号ケーブル１１３の芯線１１３１の周囲に接して押し縮められながら変形されるとき、接続され固定され得る。
【００３６】
ばね１７３は、接点部１７１と接続端部１７５との間に一体化形態で設けられ、ばね端子１７に弾性を与える。ばね１７３は、１つのプレートまたはワイヤを複数回分割し曲げることによって形成される。例えば、ばね１７３は、所定の長さを有するようにばね端子１７の長手方向に沿って形成され、Ｗ形状になるように所定の直径を有するワイヤまたは所定の厚さを有するプレートを繰り返して複数回分割するかまたは曲げることによって形成され得る。加えて、ばね１７３は、ばね端子１７の長手方向に対して垂直に切ることによって得られる断面の形状が、開いた形状（例えば、ｃ形状および扁平Ｕ形状）と閉じた形状（例えば、円形形状および多角形形状）との間の任意の１つの形状となることができるように曲げることができる。すなわち、ばね１７３は、全体として、中空円筒形状または多角柱形状となるように形成することができる。
ばね端子１７は、Ｗ形状部分が変形されたとき弾性を有することができ、または円筒形状もしくは多角柱形状のために所定の大きさ以上の強度を有することができる。それにより、ばね端子１７は、重さが軽く、サイズが小さくなるように、および所定の大きさ以上の弾性を有するように形成することができる。しかしながら、ばね１７３の形状は、本明細書で説明する例証となる例に限定されず、したがって、弾性を与える様々な変更を形状に行うことができる。
【００３７】
前述したように、ばね端子１７は、接点部１７１と、ばね１７３と、接続端部１７５とを含む。しかしながら、ばね端子１７の形成は、本明細書で説明する例証となる例に限定されず、したがって、ばね１７３および接点部１７１は、単一の部分として形成することができる。すなわち、接点部１７１が、弾性を有するように所定の曲率およびサイズで曲げられているので、ばね１７３は省略することができ、もっぱら、接点部１７１が、ばね端子１７をＰＣＢ２１に弾性的に接続するのに十分な弾性をもたらすことができる。
【００３８】
一体化して形成されたばね端子１７を前述しているが、図６に示すように、ポゴピン１８をばね端子１７の代わりに使用してもよい。
【００３９】
以下で説明するケーブルアセンブリ１０は、ポゴピン１８を除いて、上述の例と同一である。したがって、ポゴピン１８のみを以下で説明し、ケーブルアセンブリ１０の同じ要素または構成要素は、同じ名称および参照番号を使用して説明することになり、繰り返しの説明は省略する。
【００４０】
図６を参照すると、ポゴピン１８は、その１つの端部に、ＰＣＢ２１に電気的に接続される接点部１８１を含み、その別の端部に、信号ケーブル１１３に接続される接続端部１８５を含む。加えて、ポゴピン１８は、接点部１８１の少なくとも一部分がコネクタハウジング１３から突出することができるように形成される。ポゴピン１８の接点部１８１は所定の長さだけ本体１８４に挿入され、ばね１８３は本体１８４に含まれる。したがって、ポゴピン１８がＰＣＢ２１に接触するとき、接点部１８１は本体１８４中で前進および後退することができる。
【００４１】
ポゴピン１８がばね端子１７の代わりに設けられているが、ケーブルアセンブリ１０の構造は、上述の例と比べて実質的に変えなくてもよい。
【００４２】
ケーブルアセンブリ１０は、以下の手順で組み立てることができる。シース１１５の一部分をケーブル部１１から取り除いて、同軸ケーブル１１１および信号ケーブル１１３の一部分を露出させることができる。ここで、シース１１５は省略することができ、同軸ケーブル１１１および一束の信号ケーブル１１３を使用することができる。
【００４３】
続いて、同軸ケーブル１１１のシースを同軸ケーブル１１１の端部の一部分から取り除いて、第１のＭＭＣＸコネクタ１１２に接続することができる。信号ケーブル１１３のシース１１３２を信号ケーブル１１３の端部の一部分から取り除いて、芯線１１３１を露出させることができ、ばね端子１７の接続端部１７５は、図５に示すように、接続端部１７５に押し付けられる芯線１１３１に留めることができる。
【００４４】
第１のＭＭＣＸコネクタ１１２は第１のケーブル継手１３１に挿入することができ、ばね端子１７は第２のケーブル継手１３３に挿入することができる。ばね端子１７は一体化形態で用意され、したがって、ばね端子１７と信号ケーブル１１３とは、追加のプロセス、例えばはんだ付けなしに、単に、接続端部１７５を信号ケーブル１１３の端部に対して圧縮することによって容易に接続することができる。
【００４５】
オーバーモールド部１５は、コネクタハウジング１３を固定するように形成することができ、組立ては完了することができる。
【００４６】
ここで、ケーブルアセンブリ１０の同軸ケーブル１１１および信号ケーブル１１３は、コネクタハウジング１３によって一体化してモジュール化されるので、したがって、ケーブルを接続する必要なしに組立てを容易に実行して、ＰＣＢ２１上にケーブルアセンブリ１０を装着することができる。
【００４７】
図６に示すようにばね端子１７の代わりにポゴピン１８を使用する場合、シース１１３２を信号ケーブル１１３から取り除いて、芯線１１３１を露出させることができ、芯線１１３１をポゴピン１８の接続端部１８５にはんだ付けし、次に、ケーブル継手１３３に挿入して、ポゴピン１８の接点部１８１が外側に露出するのを可能にできる。ポゴピン１８を使用する組立てプロセスは、よく知られている技術から理解することができ、したがって、詳細な図および説明は省略する。ポゴピン１８を使用する場合、ケーブルアセンブリ１０の他の要素または構成要素は、上述の要素または構成要素と同じとすることができる。
【００４８】
前述した説明を参照すると、コネクタハウジング１３の第１のケーブル継手１３１および第２のケーブル継手１３３は、ケーブル部１１の方向に沿って互いに整列される。しかしながら、本開示は、本明細書で説明する例証となる例に限定されず、したがって、ケーブルアセンブリ１０は、９０度（°）曲げられているコネクタハウジング１４で接続されてもよい。
【００４９】
以下、９０°曲げられた形態のケーブルアセンブリ１０を、図７から図９を参照しながら説明する。
【００５０】
図７は、本発明の別の例示の実施形態による、ケーブルアセンブリ１０とカメラモジュール２０とを含む車両用カメラデバイスの分解斜視図である。図８は、図７のケーブルアセンブリ１０を底面から見た斜視図である。図９は、図７のケーブルアセンブリ１０の分解斜視図である。以下で説明するケーブルアセンブリ１０は、コネクタハウジング１４を除いて上述のケーブルアセンブリ１０と実質的に同じである。したがって、ケーブルアセンブリ１０の同じ要素または構成要素は、同じ名称および参照番号を使用して説明することになり、繰り返しの説明は省略する。
【００５１】
図７から図９を参照すると、ケーブルアセンブリ１０は、同軸ケーブル１１１、信号ケーブル１１３、およびシース１１５を含むケーブル部１１と、ケーブル部１１をＰＣＢ２１に接続するためにケーブル部１１の端部に設けられたコネクタハウジング１４と、ケーブル部１１とコネクタハウジング１４とを接続するためのオーバーモールド部１５とを含む。ここで、シース１１５は、ケーブルアセンブリ１０から省略されることがある。
【００５２】
コネクタハウジング１４は、ＰＣＢ２１に対して９０°曲げることによってケーブル部１１をＰＣＢ２１に接続するように形成される。すなわち、コネクタハウジング１４の第１のケーブル継手１４１および第２のケーブル継手１４３は、ケーブル部１１の方向に対して９０°曲げられる。
【００５３】
ここで、コネクタハウジング１４において、同軸ケーブル１１１と信号ケーブル１１３とは、延長方向に沿って整列され、第１のＭＭＣＸコネクタ１１２とばね端子１７とは、曲がった形態で用意される。例えば、第１のＭＭＣＸコネクタ１１２は、９０°の角度を有する形態で用意することができ、ばね端子１７は、９０°曲がった形態で用意することができる。したがって、第１のＭＭＣＸコネクタ１１２およびばね端子１７の形状を図示のように変えることによって、同軸ケーブル１１１および信号ケーブル１１３は曲げる必要がなく、それにより、接続を容易に実行することができ、組立て可能性を改善することができる。
【００５４】
ここで、コネクタハウジング１４は、本体１４０と、留め具１４６を留めることができる継手１４５とを含む。
【００５５】
しかしながら、本開示は、本明細書で説明する例証となる例に限定されず、したがって、コネクタハウジング１４の形状に様々な変更を行うことができる。
【００５６】
ポゴピンをばね端子１７の代わりに使用することもできる。ここで、ポゴピンを使用する詳細な図および説明はここでは省略する。
【００５７】
上述で提供した説明を参照すると、ばね端子１７は、ケーブルアセンブリ１０に設けることができる。しかしながら、ばね端子１７は、カメラモジュール２０のＰＣＢ２１に設けることもできる。
【００５８】
以下、ばね端子４７がＰＣＢ４１に設けられている車両用カメラデバイスの一変形例を、図１０から図１６を参照しながら説明する。図１０は、本発明のさらなる別の例示の実施形態による、ケーブルアセンブリ３０とカメラモジュール４０とを含むカメラデバイスの分解斜視図である。図１１は、図１０のケーブルアセンブリ３０の斜視図である。図１２は、図１１のケーブルアセンブリ３０の分解斜視図である。図１３は、図１０のカメラモジュール４０のホルダ４２の分解斜視図である。図１４は、本発明の例示の実施形態によるホルダ４２の一変形例の分解斜視図である。
【００５９】
図１０から図１２を参照しながら説明するコネクタアセンブリ３０は、ばね端子がないことを除いて、図１から図６を参照しながら説明したコネクタアセンブリ１０と実質的に同じである。したがって、同じ要素または構成要素は、同じ名称および参照番号を使用して説明することになり、繰り返しの説明はここでは省略する。
【００６０】
図１０から図１２を参照すると、ケーブルアセンブリ３０は、ケーブル部３１と、コネクタハウジング３３と、オーバーモールド部３５とを含む。ケーブル部３１は、同軸ケーブル３１１と、第１のＭＭＣＸコネクタ３１２と、複数の信号ケーブル３１３と、シース３１５とを含む。
【００６１】
オーバーモールド部３５は、コネクタハウジング３３とケーブル部３１とを接続する。
【００６２】
コネクタハウジング３３は、ケーブル部３１の端部に設けられ、ケーブル部３１をＰＣＢ４１に接続するために第１のＭＭＣＸコネクタ３１２を接続することができる第１のケーブル継手３３１と、信号ケーブル３１３の端部を接続することができる第２のケーブル継手３３３とを含む。ここで、信号ケーブル３１３は、ばね端子なしでコネクタハウジング３３の信号ピン３３４に接続される。例えば、コネクタハウジング３３において、信号ケーブル３１３は、はんだ付けにより信号ピン３３４にはんだ付けすることができる。
【００６３】
ケーブルアセンブリ３０の同軸ケーブル３１１および信号ケーブル３１３は、コネクタハウジング３３によって一体化してモジュール化され、したがって、組立てを容易に実行して、ＰＣＢ４１上にケーブルアセンブリ３０を装着することができる。
【００６４】
図１３および図１４を参照すると、ばね端子４７は、信号ケーブル３１３と、ＰＣＢ４１の接続パッド４１３とを弾性的に接続するために設けられ、ＰＣＢ４１上に設けられる。ＰＣＢ４１は、ばね端子４７を収容するためにホルダ４２を含む。
【００６５】
ホルダ４２は、ばね端子４７を収容することができるハウジング４２０を含み、ハウジング４２０は、ばね端子４７の接点部４７１の少なくとも一部分を露出させるように設けられたばね端子収容器４２７を含む。ここで、複数のばね端子をばね端子４７として設けることができる。例えば、ケーブルアセンブリ３０へのより容易の接続のために、ばね端子４７および第２のＭＭＣＸコネクタ４１１は、ＰＣＢ４１に対して垂直に設けられ、ホルダ４２は、ばね端子４７を垂直に設けることができるように形成される。
【００６６】
固定部材４３が、さらに、ホルダ４２をＰＣＢ４１に固定するために設けられる。例えば、固定部材４３の一部分、例えば固定部４３１をホルダ４２の側面に接続することができ、固定部材４３の端部、例えばはんだ付け部分４３２をはんだ付けによりＰＣＢ４１内に設けるかまたはＰＣＢ４１に固定することができる。しかしながら、本開示は、本明細書で説明する例証となる例に限定されず、ホルダ４２の形状に様々な変更を行うことができる。
【００６７】
ここで、固定部材４３を接続することができる固定部材継手４２３がさらに設けられる。
【００６８】
ばね端子４７は、その別の端部に、ＰＣＢ４１の接続パッド４１３に接続され接続パッド４１３上に置かれる接続端部４７５を含み、その１つの端部に、ケーブルアセンブリ３０に接続される接点部４７１を含み、弾性を与えるばね４７３をさらに含む。
【００６９】
ばね４７３は、接点部４７１と接続端部４７５との間に一体化形態で設けられて、ばね端子４７に弾性を与える。ばね４７３は、複数回分割されるかまたは曲げられている１つのプレートまたはワイヤによって形成される。例えば、ばね４７３は、ばね端子４７の長手方向に沿って所定の長さで形成される。ばね４７３は、Ｗ形状になるように複数回曲げられている所定の直径を有するワイヤまたは所定の厚さを有するプレートで形成することができる。さらに、ばね４７３は、ばね端子４７の長手方向に対して垂直に切れられることによって得られる断面の形状が、開いた形状（例えば、ｃ形状および扁平Ｕ形状）と閉じた形状（例えば、円形形状および多角形形状）との間の任意の１つの形状となることができるように曲げることができる。すなわち、ばね４７３は、全体として、中空円筒形状または多角柱形状となるように形成される。
ばね端子４７は、Ｗ形状部分が変形されたとき弾性を有し、または円筒形状もしくは多角柱形状のために所定の大きさ以上の強度を有することができる。それにより、ばね端子４７は、重さが軽く、サイズが小さくなるように、および所定の大きさ以上の弾性を有するように形成することができる。しかしながら、本開示は、本明細書で説明する例証となる例に限定されず、したがって、弾性を与える様々な変更をばね４７３の形状に行うことができる。
【００７０】
接点部４７１は、その端部を所定の曲率で曲げることによって形成された曲面を含む。接点部４７１は、ばね４７３から延びるワイヤまたはプレートの端部を曲げることによって形成される。そのような場合に、接点部４７１は、ばね４７３と共に弾性を備えて、ばね端子４７をＰＣＢ４１の接続パッド４１３に接続することができる。加えて、接点部４７１の曲面により、安定した接続のためにケーブルアセンブリ３０に接触する区域のサイズを確保することができ、接続が行われ得る区域になされることがある損傷を防止することができる。
【００７１】
ばね端子４７は、接点部４７１と、ばね４７３と、接続端部４７５とを含むが、本開示は、本明細書で説明する例証となる例に限定されない。したがって、ばね４７３と接点部４７１とは、一体化形態で用意することができる。すなわち、接点部４７１は、接点部４７１が弾性を有するように曲げることができ、それにより、ばね４７３は省略することができ、もっぱら、接点部４７１が、ばね端子４７をケーブルアセンブリ３０に弾性的に接続するのに十分な弾性をもたらすことができる。
【００７２】
接続端部４７５は、接続パッド４１３上に装着されるように形成される。例えば、接続端部４７５は、所定のサイズの円筒形態または多角形形態で用意することができる。しかしながら、本開示は、本明細書で説明する例証となる例に限定されず、したがって、ばね端子４７の形状に様々な変更を行うことができる。
【００７３】
図１５に示すように、ポゴピン４８が、ばね端子４７の代わりにホルダ４２に使用されてもよい。
【００７４】
以下で説明するホルダ４２の構造は、ばね端子４７の代わりにポゴピン４８を使用することを除いて、上述の例と実質的に同じである。したがって、ポゴピン４８のみを以下で説明し、ホルダ４２の同じ要素または構成要素は、同じ名称および参照番号を使用して説明することになり、繰り返しの説明はここでは省略する。
【００７５】
図１５を参照すると、ポゴピン４８には、ＰＣＢ４１の接続パッド４１３に接続され、ＰＣＢ４１の接続パッド４１３に置かれる接続端部４８５と、ケーブルアセンブリ３０に接続される接点部４８１と、接点部４８１に弾性を与えるために本体４８４に設けられたばね４８３とが含まれる。
【００７６】
ポゴピン４８が接続パッド４１３に装着されると、接点部４８１の少なくとも一部分が、ホルダ４２のハウジング４２０から突出する。ポゴピン４８の接点部４８１は、所定の長さだけ本体４８４に挿入され、本体４８４において前進および後退し、ケーブルアセンブリ３０に接続されるときばね４８３によって弾性的に支持される。ポゴピン４８をばね端子１７の代わりに設けることができ、ホルダ４２の構造は、上述の例と比べて実質的に同一とすることができる。
【００７７】
ばね端子４７がホルダ４２に挿入されるとき、ばね端子４７が接続パッド４１３に配設可能となるように、ホルダ４２を配設することができる。
【００７８】
固定部材４３がホルダ４２に固定された後、固定部材４３のはんだ付け部分４３２がＰＣＢ４１にはんだ付けされて、組立てが完了する。
【００７９】
しかしながら、本開示は、本明細書で説明する例証となる例に限定されず、したがって、はんだ付けを含む様々な方法を使用して、ホルダ４２をＰＣＢ４１に接続することができる。
【００８０】
さらに、図１６に示すように、ばね端子４７がＰＣＢ４１に設けられる場合、ＰＣＢ４１に対して９０°曲げられた形態となるようにケーブルアセンブリ３０を製造することが可能となり得る。図１６は、図１４のケーブルアセンブリ３０の分解斜視図である。
【００８１】
以下で説明するケーブルアセンブリ３０は、コネクタハウジング３４の形状を除いて上述の例と実質的に同じである。したがって、ケーブルアセンブリ３０の同じ要素または構成要素は、同じ名称および参照番号を使用して説明することになり、繰り返しの説明は省略する。
【００８２】
図１６を参照すると、ケーブルアセンブリ３０は、同軸ケーブル３１１、信号ケーブル３１３、およびシース３１５を含むケーブル部３１と、ケーブル部３１をＰＣＢ４１に接続するためにケーブル部３１の端部に設けられたコネクタハウジング３４と、ケーブル部３１とコネクタハウジング３４とを接続するためのオーバーモールド部３５とを含む。
【００８３】
コネクタハウジング３４は、ＰＣＢ４１に対して９０°曲げることによってケーブル部３１をＰＣＢ４１に接続できるように形成され、第１のケーブル継手３４１および第２のケーブル継手３４３は、ケーブル部３１の方向に対して９０°曲げられる。加えて、コネクタハウジング３４は、本体３４０と、留め具３４６を留めることができる継手３４５とを含む。
【００８４】
ここで、ケーブルアセンブリ３０の同軸ケーブル３１１および信号ケーブル３１３は、延長方向に沿ってコネクタハウジング３４内に設けられ、９０°の角度を有する第１のＭＭＣＸコネクタ３１２が使用される。
【００８５】
しかしながら、本開示は、本明細書で説明する例証となる例に限定されず、したがって、コネクタハウジング３４の形状に様々な変更を行うことができる。
【００８６】
例示の実施形態によれば、以下で説明する１つまたは複数の効果を達成することができる。
【００８７】
例示の実施形態によれば、同軸ケーブルと複数の信号ケーブルとを包含することにより、熱および雑音の発生を防止することができ、したがって、より高品質の画像を得ることが可能になる。
【００８８】
加えて、同軸ケーブルおよび信号ケーブルを一体化形態でモジュール化して、カメラモジュール上へのケーブルアセンブリの装着を容易にし、さらに、組立てを容易にすることができる。
【００８９】
加えて、ケーブルアセンブリの１つの側またはカメラモジュールの１つの側に設けられるばね端子は、信号ケーブルとＰＣＢとの間の接触の安定した維持を可能にすることができる。
【００９０】
さらに、ばね端子の接点部およびばねは、製造および組立てを容易にするために一体化形態で用意することができる。
【００９１】
本開示は特定の例を含んでいるが、特許請求の範囲およびその均等物の趣旨および範囲から逸脱することなく、形態および詳細の様々な改変をこれらの例に行うことができることが当業界には明らかであろう。本明細書で説明した例は、限定の目的ではなく単に説明的意味と考えるべきである。各例の特徴または態様の説明は、他の例の同様の特徴または態様に当てはまると見なされるべきである。説明した技法が異なる順序で実行される場合、および／または説明したシステム、構成、デバイス、または回路の構成要素が異なる方法で組み合わされ、および／または他の構成要素またはその均等物によって取り替えられかまたは補足される場合、好適な結果が達成されることがある。
【００９２】
それゆえに、本開示の範囲は、詳細な説明によってではなく特許請求の範囲およびその均等物によって規定され、特許請求の範囲およびその均等物の範囲内のすべての変形は本開示に含まれると解釈されるべきである。
【図１】
2017520132.tif 000003
【図２】
2017520132.tif 000004
【図３】
2017520132.tif 000005
【図４】
2017520132.tif 000006
【図５】
2017520132.tif 000007
【図６】
2017520132.tif 000008
【図７】
2017520132.tif 000009
【図８】
2017520132.tif 000010
【図９】
2017520132.tif 000011
【図１０】
2017520132.tif 000012
【図１１】
2017520132.tif 000013
【図１２】
2017520132.tif 000014
【図１３】
2017520132.tif 000015
【図１４】
2017520132.tif 000016
【図１５】
2017520132.tif 000017
【図１６】
2017520132.tif 000018
【手続補正書】
【提出日】平成28年9月26日(2016.9.26)
【手続補正１】
【補正対象書類名】明細書
【補正対象項目名】００２９
【補正方法】変更
【補正の内容】
【００２９】
図２の参照番号１７７および１７９は、同軸ケーブル１１１および信号ケーブル１１３に接続される車載デバイスを示す。
【手続補正２】
【補正対象書類名】図面
【補正対象項目名】図２
【補正方法】変更
【補正の内容】
【図２】
2017520132.tif 000019
【手続補正３】
【補正対象書類名】図面
【補正対象項目名】図１６
【補正方法】変更
【補正の内容】
【図１６】
2017520132.tif 000020
【国際調査報告】
2017520132.tif 000021
2017520132.tif 000022
2017520132.tif 000023
2017520132.tif 000024